(57)【要約】【課題】装着される交換レンズの種類に関係なく、適正露出を与えるデジタルカメラを提供する。【解決手段】装着される交換レンズの種類を判別するレンズ判別手段１１４と、レンズ判別手段の結果に応じて、記憶手段から適正露出補正データを読み込むデータ読込み手段１１３と、データ読込み手段にて読み込まれた適正露出補正データを内部メモリに書き込むデータ書込み手段１１２とを有し、データ書込み手段により書き込まれた、装着される交換レンズの種類に固有の適正露出補正データを用いて露出制御を行う。【選択図】図４
2008134312.tif 000002
【特許請求の範囲】
【請求項１】
装着される交換レンズの種類を判別するレンズ判別手段と、
前記レンズ判別手段の結果に応じて、記憶手段から適正露出補正データを読み込むデータ読込み手段と、
前記データ読込み手段にて読み込まれた適正露出補正データを内部メモリに書き込むデータ書込み手段とを有し、
前記データ書込み手段により書き込まれた、装着される交換レンズの種類に固有の適正露出補正データを用いて露出制御を行うことを特徴とするデジタルカメラ。
【請求項２】
新たな交換レンズが装着される毎に、該交換レンズに対応する適正露出補正データを、前記データ書込み手段により前記内部メモリに蓄積していくことを特徴とする請求項１に記載のデジタルカメラ。
【請求項３】
請求項１ないし２に記載のデジタルカメラに用いられる記録媒体であって、
前記デジタルカメラに装着可能な交換レンズの種類に応じた適正露出補正データが個別に記録されていることを特徴とする記録媒体。
【発明の詳細な説明】
【技術分野】
【０００１】
本発明は、交換レンズの種類に応じた適正露出補正データを用いて露出補正を行うデジタルカメラおよび該デジタルカメラに用いられる記録媒体に関するものである。
【背景技術】
【０００２】
従来の一般的な一眼レフカメラの測光方式は、交換レンズおよびピント板やペンタプリズムを透過した光束を接眼近傍に設置された測光センサに導き、この測光センサにて測光を行うようになっている。しかし、交換レンズの特性、つまり射出瞳の位置の違い、レンズ透過率の違い等により、測光センサ上で受光する測光値にバラツキが生じていた。さらには、カメラの光学系の特性、つまりピント板の拡散特性および透過率の違い、ペンタプリズム透過率の違い等によっても、測光センサ上で受光する測光値にバラツキが生じていた。このため、交換レンズの適正露出補正データは必要不可欠となっていた。
【０００３】
従来の適正露出補正データは、交換レンズの特性が原因で発生する周辺光量低下等による測光センサ上での受光レベルを均一にするような補正値として設定され、カメラ内部のＭＰＵ／ＥＥＰＲＯＭ（メイン演算処理回路）に書き込まれていた。そして、カメラに交換レンズが装着されたら、該交換レンズから該交換レンズのレンズＩＤを読み取り、レンズＩＤに対応したＦナンバー毎の露出補正値により適正となる撮影を行っていた。
【０００４】
特許文献１に、レンズ交換式カメラの適正露光量を撮影レンズを介して得た測光出力を用いて決定する際の技術が開示されている。これによれば、撮影レンズ毎の、焦点距離の違い、射出瞳の位置の違い、開口効率の違いに起因する、さらには交換レンズ内にデータを持つ撮影レンズ毎の開放Ｆナンバーの違いに起因する、比例関係からのずれ量を補正する提案がなされている。
【特許文献１】特公平０５−０４９２０６号公報
【発明の開示】
【発明が解決しようとする課題】
【０００５】
しかしながら、上記提案の技術では、以下のような問題を有していた。従来、交換レンズとして数十本というレンズが販売され、市場に出回っている。その中では開放Ｆナンバーが同じでもレンズの種類が違うものが多数あり、その多種の交換レンズを開放Ｆナンバー毎に平均化した露出補正値で設定している。そのため、適正露出となるレンズもあれば、アンダー傾向に片寄るレンズ、あるいはオーバー傾向に片寄るレンズがあり、全てのレンズを適正露出になるように露出補正値を設定するのは困難であった。
【０００６】
図９を用いて説明すると、図９（ａ）はＦ２．８の開放Ｆナンバーを持つ交換レンズのグループであるが、Ｆ２．８の場合の交換レンズ名称と各交換レンズのレンズＩＤ、および実行Ｆナンバーを示した図である。このように、同じ開放Ｆナンバーでも、Ｆ２．８グループには１５本以上の交換レンズが存在する。
【０００７】
この交換レンズを一つの露出補正パラメーター（Ｆ２．８用）で補正した場合について考察する。図９（ｂ）のように、適正露出（ＥＶ１２の輝度の場合、適正測光値は９０となる）となるように露出補正された測光出力値を見ても分かるように、各交換レンズの測光センサにバラツキが生じている。これは各交換レンズの測光出力値の平均値から適正露出補正パラメーターを設定しているため、交換レンズによっては測光出力値が低いレンズ（例えば１３５／２Ｌ  Ｕ＋ＥＸ１．４）では像面光量値でオーバー側になる。または、測光出力値が高いレンズ（例えば２０／２．８Ｕ）では像面光量値でアンダー側になる。このように、実画像で差が生じてしまう。一方、ユーザーから見れば自分が所有している交換レンズのみ適性露出が得られる露出補正値であれば良いのである。しかし、実情は同じ開放Ｆナンバー毎に平均化しているため、他の交換レンズの影響で適正露出を得られていないのが現状である。
【０００８】
本発明の目的は、装着される交換レンズの種類に関係なく、適正露出を与えることのできるデジタルカメラおよび記録媒体を提供しようとするものである。
【課題を解決するための手段】
【０００９】
上記目的を達成するために、本発明は、装着される交換レンズの種類を判別するレンズ判別手段と、前記レンズ判別手段の結果に応じて、記憶手段から適正露出補正データを読み込むデータ読込み手段と、前記データ読込み手段にて読み込まれた適正露出補正データを内部メモリに書き込むデータ書込み手段とを有し、前記データ書込み手段により書き込まれた、装着される交換レンズの種類に固有の適正露出補正データを用いて露出制御を行うデジタルカメラとするものである。
【００１０】
同じく上記目的を達成するために、本発明は、本発明の上記デジタルカメラに用いられる記録媒体であって、前記デジタルカメラに装着可能な交換レンズの種類に応じた適正露出補正データが個別に記録されている記録媒体とするものである。
【発明の効果】
【００１１】
本発明によれば、装着される交換レンズの種類に関係なく、適正露出を与えることができるデジタルカメラまたは記録媒体を提供できるものである。
【発明を実施するための最良の形態】
【００１２】
本発明を実施するための最良の形態は、以下の実施例１および実施例２に示す通りである。
【実施例１】
【００１３】
図１は本発明の実施例１に係るデジタルカメラの中央断面図であり、以下構成について説明する。なお、このデジタルカメラは、カメラ１と交換レンズ２により構成される。
【００１４】
カメラ１に対して着脱可能な交換レンズ２は、カメラ１のマウント部５と不図示のレンズマウント部によって固定され、不図示のカメラ接点部とレンズの接点部が接触することによって電気的な接続がなされている。そして、この接点部を介してカメラ１から交換レンズ２へ電力の供給や交換レンズ２を制御するための通信が行われる。交換レンズ２に具備される複数のレンズ群からなる撮影レンズ３を透過した光束はカメラのメインミラー６に入射する。メインミラー６はハーフミラーとなっており、ここで反射された光束はファインダへと導かれ、透過された光束はサブミラー７にて下方へ反射し、焦点検出装置８へと導かれる。焦点検出装置８は、撮影レンズ３のデフォーカス量を検出し、撮影レンズ３が合焦状態となるようにレンズ駆動量を演算し、このレンズ駆動量を不図示の接点部を介して交換レンズ２へ送出する。これにより、交換レンズ２では、上記レンズ駆動量に基づいて不図示のモータを制御して撮影レンズ３の焦点調節を行う。レンズ絞り４は、レンズ絞り径を変化させることで光量をコントロールするものである。
【００１５】
メインミラー６によってファインダへと導かれた光束は、ピント板９に被写体像として結像される。撮影者はペンタプリズム１０および接眼レンズ１１を介してこのピント９板上の被写体像を観察可能になっている。ピント板９は不図示のピント板フォルダに支持されており、適宜着脱交換が可能に構成されている。ペンタプリズム１０の後部上方に配置された測光レンズ１２は、ピント板９上の被写体像を二次光源として、その像を測光センサ（受光素子）１３に縮小投映する。測光レンズ１２および測光センサ（受光素子）１３は、公知の露光制御用の受光手段を構成する。
【００１６】
サブミラー７の後方にはシャッタ１４が配置され、シャッタ１４の後方には光学ローパスフィルタおよび赤外線カットフィルタを一体化した光学フィルタ１５が配置される。撮影時には光学フィルタ１５を透過した光束が更に後方に配置された撮像素子１６へと入射する。画像表示モニター１７にて、撮影された画像および撮影メニュー等を表示するように構成されている。
【００１７】
図２（ａ），（ｂ）は、図１のデジタルカメラの上面側に配置される各種の部品構成を示す図である。
【００１８】
図２（ａ）は図１のデジタルカメラの上面図であり、以下に上面側の構成について説明する。図２（ａ）において、１８はＡＥ（自動露出）ロックボタン、１９はＡＦ（オートフォーカス）の測距点選択ボタンである。２０は撮影操作を行うためのレリーズボタンであり、第１ストロークでスイッチＳＷ１がＯＮし、第２ストロークでスイッチＳＷ２がＯＮする構成となっている。２１はメイン電子ダイヤルであり、他の操作釦と併用して、カメラに数値を入力したり、撮影モードを切り換えたりすることが可能である。２２は撮影モード選択ボタン、２３はＡＦモード選択ボタンである。２４は測光モード選択ボタンであり、調光補正ボタンも兼ねている。２５は撮影条件等を表示する外部表示機能を備えた液晶表示によりなる外部液晶表示装置である。尚、ここでの表示内容の詳細については、図２（ｂ）を用いて後述する。２６は外部液晶表示装置２５の裏面に設置されている不図示のバックライト照明装置をＯＮ／ＯＦＦするための表示パネル照明ボタンである。２７は露出の補正を行うための露出補正ボタンである。２８はＦＥロックボタンであり、被写体の任意の部分に適正調光させるストロボ撮影用ボタンである。
【００１９】
次に、図２（ｂ）を用いて、外部液晶表示装置２５の表示内容について詳述する。
【００２０】
図２（ｂ）において、２５ａは切り換え可能な撮影モードの状態を表示する表示部であり、Ｐ（プログラムＡＥ）、Ｍ（マニュアル露出）、ＴＶ（シャッタ速度優先ＡＥ）、ＤＥＰ（深度優先ＡＥ）、ＡＶ（絞り優先ＡＥ）などを表示可能である。ここでは、Ｍ（マニュアル露出）の撮影モードが選択されている状態を表示している。２５ｂは絞り値を７セグメントにて表示する表示部であり、ここでは絞り５．６が選択された状態を示している。２５ｃはシャッタ速度を７セグメントにて表示する表示部であり、ここではシャッタ速度１／１０００が選択された状態を示している。２５ｄは撮影可能駒数を表示する表示部であり、ここでは撮影可能駒数が１６７駒である状態を示している。２５ｅにはＡＦモードの状態を表示する表示部であり、ここではワンショットＡＦが選択された状態を示している。２５ｆにはドライブモードの状態を表示する表示部であり、ここでは高速連続撮影が選択された状態を示している。２５ｇは露出補正量をドットにて表示する表示部であり、１ドット１／３段を示している。２５ｈは電源電池の残り容量の目安を表示する表示部である。２５ｉは測光モードの状態を表示する表示部であり、評価測光、部分測光、スポット測光、中央部重点平均測光などに切り換え可能であって、ここでは評価測光モードが選択されている状態を表示している。２５ｊはＣＦ（コンパクトフラッシュ（登録商標））カードとＳＤカードの２種類のメモリカードの装着状態を表示する表示部である。ここでは、２種類のメモリカードのうち、ＣＦカードは撮影した画像ファイルを記録するためのものであり、ＳＤカードは交換レンズ２の露出補正データが書き込まれるものである。詳細は後述する。
【００２１】
図３は、上記構成のデジタルカメラの背面図である。
【００２２】
図３において、２９は不図示のアイピースシャッタを駆動させるためのアイピースシャッタレバーである。このアイピースシャッタレバー２９を時計方向に回動させることにより、不図示のアイピースシャッタが接眼窓３０を覆い、接眼窓３０からの光の入光を防ぐことができる。３１は視度の調整を行うための視度補正ダイヤルである。この視度補正ダイヤル３１を回転させることにより、不図示の視度補正レンズが移動し、視度調整を行うことができる。３２はメイン電子ダイヤル２１と同様の機能を備えたサブ電子ダイヤルである。撮影モード選択ボタン２２とメイン電子ダイヤル２１によりマニュアルモードが設定されたとする。この時には、絞り値の入力設定、プログラムモード（Ｐ）・シャッタ速度優先モード（ＴＶ）・絞り優先モード（ＡＶ）では測光した適正露出に対してカメラの制御露光量を変更する露出補正量の入力設定を行う。３３はサブ電子ダイヤル３２による入力機能をロックするダイヤルロックスイッチ、３４はデジタルカメラ全ての作動・非作動を設定するメインスイッチである。３５はカメラ１を縦位置に構えた時に使用する縦位置用ＡＥロックボタンであり、図２（ａ）で説明したＡＥロックボタン１８と同一の機能を有する。同様に、３６はカメラ本体１を縦位置に構えた時に使用する縦位置用の測距点選択ボタンであり、同じく図２（ａ）で説明した測距点選択ボタン１９と同一の機能を有する。
【００２３】
３７はＬＣＤモニター装置（液晶表示器）であり、撮影された画像を表示する際やデジタルカメラの設定状態などを表示するものである。なお、本実施例によるＬＣＤモニター装置３７は透過型であるため、該ＬＣＤモニター装置３７の表示動作だけでは画像を視認することはできず、必ずその裏面には不図示のバックライト照明装置が必要である。ＬＣＤモニター装置３７に撮影画像を再生する場合は、ディスプレイボタン４１を押して、選択ボタン４０を押しながら、サブ電子ダイヤル３２を左右に回転させることで、画像が切り換わる。また、表示形式を変えるには、ディスプレイボタン４１を押しながらサブ電子ダイヤル３２を左右に回転させる。通常の撮影モードの場合には、１駒フル表示や４駒および９駒インディックス表示、撮影情報表示が表示可能であり、表示形式が決定したらディスプレイボタン４１を離すことで完了する。３８は記録画像を間違って消さないようにプロテクトをかけるプロテクトボタンである。撮影画像にプロテクトをかける場合は、１駒ずつプロテクトをかける場合と、フォルダ内の全画像にプロテクトをかける方法がある。
【００２４】
ここでは１駒ずつプロテクトをかける場合について説明する。ディスプレイボタン４１を押して記録画像を再生し、選択ボタン４０を押しながらサブ電子ダイヤル３２を回転させ、プロテクトをかけたい画像を選択後、プロテクトボタン３８を押すことでプロテクトが完了する。３９はカメラの初期設定を行う際に各種モードを選択するためのメニューボタンである。各モードを選択する時は、このメニューボタン３９を押しながらサブ電子ダイヤル３２を回転して、希望のモードを選択する。希望のモードが選択された時、メニューボタン３９を離すと選択が完了する。その後、選択したモードの機能をＯＮ／ＯＦＦするためには、選択ボタン４０を押しながらサブ電子ダイヤル３２を回転してＯＮ／ＯＦＦのどちらかを選択後、選択ボタン４０を離すことで選択が完了する。記録媒体内に記録されている画像ファイルを、ＬＣＤモニター装置３７に表示させる場合、ディスプレイボタン４１を押し、記録媒体内に記録されている画像ファイルを呼び出し、選択ボタン４０を押しながらサブ電子ダイヤル３２を回転させる。これにより、画像ファイルが順次ＬＣＤモニター装置３７に表示され、希望の画像ファイルを選択後、選択ボタン４０を離すことで選択が完了し、ＬＣＤモニター装置３７に希望の画像ファイルが表示される。
【００２５】
４２は記録媒体に記録されている画像ファイルを消去するための消去ボタンであり、ディスプレイボタン４１とサブ電子ダイヤル３２にて画像ファイルを選択後、消去ボタン４２を押すことで、画像ファイルの消去が可能である。４３は撮影した画像ファイルの圧縮率や画像サイズなどを選択する記録画質選択ボタンであり、メニューボタン３９とサブ電子ダイヤル３２とで画質変更モードを選択する。その後、記録画質選択ボタン４３とサブ電子ダイヤル３２にて希望の圧縮率や画像サイズを選択し、記録画質選択ボタン４３を離すことで選択が完了する。
【００２６】
４４は予めカメラ内に記憶されているホワイトバランス調整値を選択するためのホワイトバランス選択（ＷＢ）ボタンである。メニューボタン３９とサブ電子ダイヤル３２とでホワイトバランス変更モードを選択後、ホワイトバランス選択ボタン４４とサブ電子ダイヤル３２にて希望のホワイトバランス調整値を選択する。そして、ホワイトバランス選択（ＷＢ）ボタン４４を離すことで選択が完了する。４５はカードスロットカバー開閉つまみであり、このカードスロットカバー開閉つまみ４５を反時計方向に回すことで、カードスロットカバー４６が開放される。そして、中に収納されている記録媒体の装着や取り外しを行うことが可能となる。４７はアクセスランプであり、装着されている記録媒体に撮影した画像ファイルを書き込む時や、記録媒体に書き込まれた画像ファイルを読み出す場合など記録媒体にアクセス中であるときは点滅を行う。４８はデジタルカメラのグリップ部内に配置されているカードスロットである。このカードスロット４８には、前述した記録媒体であるＣＦカードが装着可能に構成され、撮影した画像ファイルを記録する。
【００２７】
４９はカードスロット４８に装着されている記録媒体を取り外すためのカード取り外しボタンである。５０はカードスロット４８と同様にデジタルカメラのグリップ部内に配置されているカードスロットである。このカードスロット５０には前述したＳＤカードが装着可能に構成され、交換レンズ２の適正露出補正データが書き込まれている。５１は、カード取り外しボタン４９と同様に、カードスロットル５０に装着されている記録媒体を取り外すためのカード取り外しボタンである。５２はデジタルカメラを駆動させるための電源電池である。
【００２８】
図４は、図１ないし図３に示したデジタルカメラの回路構成を示すブロック図である。
【００２９】
図４において、１００はカメラのメインスイッチ３４の操作によってＯＮ／ＯＦＦするメインスイッチであり、デジタルカメラ全ての作動・非作動を設定する。１０１は電源電池５２の脱着を検知する電池蓋スイッチ、１０２は交換レンズ２の脱着を検知する交換レンズ検知スイッチである。１０３はカメラ１に装着された交換レンズ２内の撮影レンズ３を駆動するレンズ駆動装置、１０４は交換レンズ２内の絞り４を駆動する絞り駆動装置、１０５はカメラ１内のシャッタ１４を駆動するシャッタ駆動装置である。１０６は焦点検出装置であり、該焦点検出装置１０６の出力信号に基づいてレンズ駆動装置１０３を制御して焦点調節が行われる。１０７は測光装置であり、ピント板９に結像された被写体像の輝度を光学部材等（ペンタプリズム１０）を介して測定するものである。この測光装置１０７の出力信号に基づいて露光時の露出制御が行われるようになっている。１０８はカードスロット検知スイッチであり、カードスロット４８に前述したＣＦカードが装着（挿入）された時にＯＮする。１０９は同じくカードスロット検知スイッチであり、カードスロット５０に前述したＳＤカードが装着（挿入）された時にＯＮする。１１０はカードスロットカバー検知スイッチであり、カードスロットカバー４６の開閉に応じてＯＮ／ＯＦＦする。
【００３０】
１１１はＣＰＵ（中央演算処理回路）であり、ＣＰＵ１１１内部には、測光用の露出補正データなどを記憶する不図示のＥＥＰＲＯＭに適正露出補正データを書き込む露出補正データ書込み部１１２を有している。１１３は記録媒体（例えばＳＤカード）に書き込まれた適正露出補正データを読み込む露出補正データ読み込み部であり、１１４は装着された交換レンズ２のレンズＩＤを判別する交換レンズＩＤ判別部である。
【００３１】
次に、図５（ａ）〜（ｃ）を用いて露出補正の仕方について説明する。
【００３２】
まず、図５（ａ）で、例えば１４／２．８Ｌの交換レンズを例にとって説明する。この測光センサは公知の３５分割測光センサであり、上段は測光センサの受光部ＮＯ．（ナンバー）、下段は測光センサの生出力値（測光生出力値と記す）である。この図５（ａ）の測光生出力値は、ＥＶ１２の輝度箱（即ち、カメラレンズの前方より所定の輝度の照明を一様に与え、カメラに対して所定の輝度設定を行う装置）で測定した場合の測光センサの生出力である。
【００３３】
図５（ｂ）は、図５（ａ）の各測光センサの受光部ＮＯ．の測光生出力値のバラツキを適正値（ＥＶ１２の輝度の場合、適正測光値は９０となる）となるように補正した場合の測光出力値を示した図である。
【００３４】
図５（ｃ）において、１４／２．８Ｌの交換レンズにおける測光生出力値のバラツキの補正方法について説明する。
【００３５】
図５（ｃ）のＡ項目は交換レンズの名称であり、ここでは例として１４／２．８Ｌの交換レンズについて記してある。Ｂ項目は１４／２．８Ｌの交換レンズのレンズＩＤであり、ここでは例として１と記してある。Ｃ項目は露出補正値を書き込むアドレス（番地）である。Ｄ項目は測光センサの受光部ＮＯ．の補正グループであり、例えばＳ１１とＳ１７を同じ補正グループとして補正を行う。Ｅ項目は基準輝度（ＥＶ１２）で測定した場合の測光生出力値を１６進表示で示しており、Ｆ項目は基準輝度（ＥＶ１２）の輝度の場合の適正測光値（９０となる）を示している。Ｇ項目ではＥ項目の測光生出力値とＦ項目の適正測光値との差を示し、Ｈ項目ではＧ項目の差分をデフォルト値００に補正した場合の補正値を示している。Ｈ項目の補正値をＣ項目のアドレス０００１〜００２０に書き込むことにより、１４／２．８Ｌの交換レンズを適正露出値となるように補正できる。
【００３６】
上記のように、デジタルカメラに装着される全ての交換レンズで適正露出値が得られるように、個々に測光生出力値のバラツキを適正になるように補正する。そして、下記で説明するＣＦカード（以下、カード１とも記す）ないしＳＤカード（以下、カード２とも記す）に交換レンズ２用の露出補正データを書き込んでおく。
【００３７】
次に、図６のフローチャート用いて、上記デジタルカメラの一連の動作について詳細に説明する。
【００３８】
図６のステップＳ２０１から動作を開始し、まずステップＳ２０２では、電池（バッテリーパック）が収納される電池蓋が開かれたか否かを電池蓋スイッチ１０１の状態から判定する。電池蓋が開かれていない場合はこのステップに留まり、その後電池蓋が開かれたことを判定するとステップＳ２０３へ進む。ステップＳ２０３では、電池が挿入されたか否かを不図示のスイッチの状態から判定し、挿入されていない場合は挿入されるまでこのステップに留まる。その後、電池が挿入されたことを判定するとステップＳ２０４へ進み、ここでは電池蓋が閉じられたか否かを電池蓋スイッチ１０１の状態から判定する。電池蓋が閉じられていない間はこのステップに留まり、その後、電池蓋が閉じられるとステップ２０５へ進み、メインスイッチ１００の状態から電源が投入されたか否かを判定する。電源が投入されていない間はこのステップに留まる。その後、電源が投入されるとステップＳ２０６へ進む。
【００３９】
ステップＳ２０６では、カード１，２の挿入状態を表示する。ここで、カード１，２が挿入されてない場合は、ＬＣＤモニター装置３７の表示部に「カード１．２がありません」というメッセージが表示される。次のステップＳ２０７，Ｓ２０８では、カードを挿入するためにカードスロットカバー４６が開かれたか否かをカードスロットカバー検知スイッチ１１０の状態から判定し、開かれていない間はこれらのステップに留まる。その後、カードスロットカバー４６が開かれるとステップＳ２０８からステップＳ２０９へ進み、カード１（ここでは撮影した画像を記録するＣＦカード）が挿入されたことをカードスロット検知スイッチ１０８がＯＮすることにより検知する。次のステップＳ２１０では、カード２（ここでは交換レンズの露出補正データが書き込まれたＳＤカード）が挿入されたことをカードスロット検知スイッチ１０９がＯＮすることにより検知する。
【００４０】
次のステップＳ２１１，Ｓ２１２では、カードスロットカバー４６が閉じられたか否かをカードスロットカバー検知スイッチ１１０の状態から判定し、閉じられていない間はこれらのステップに留まる。その後、カードスロットカバー４６が閉じられるとステップＳ２１２からステップＳ２１３へ進み、カード１およびカード２が挿入されている状態かの判定を、カードスロット検知スイッチ１０８およびカードスロット検知スイッチ１０９の状態から再度判定する。何らかの理由でカード１又はカード２が挿入されてないと判定した場合はステップＳ２１５へ進み、「カードを入れて下さい」との警告表示を行い、ステップＳ２０７へ戻る。
【００４１】
上記ステップＳ２１３にてカード１およびカード２が挿入されている場合はステップＳ２１４，Ｓ２１６にて、交換レンズ（例えば１４／２．８Ｌ）２がカメラ１に装着されたか否かを交換レンズ検知スイッチ１０２の状態から判定する。交換レンズ２がカメラ１に装着されたことを判定するとステップＳ２１６からステップＳ２１７へ進む。そして、ここではＣＰＵ１１１内の交換レンズＩＤ判別部１１４により、装着された交換レンズ２のＩＤ（例えばレンズＩＤ  １（図５（ｃ）のＢ項目参照））を読み取る。続くステップＳ２１８では、読み取ったレンズＩＤに対応する適正露出補正データを、ＣＰＵ１１１内の露出補正データ読込み部１１３を介して、カードスロット５０に挿入されたカード２から読み込む。なお、カード２は、ここでは交換レンズの適正露出補正データが書き込まれたＳＤカードである。
【００４２】
次のステップＳ２１９では、ステップＳ２１８にて読み込んだ適正露出補正データを露出補正データ読込み部１１３から同じくＣＰＵ１１１内の露出補正データ書込み部１１２に送信してＥＥＰＲＯＭに露出補正データ書込み部１１２により書き込む。ここでは、交換レンズ２が１回装着された場合のフローチャートを例にしているが、交換レンズが装着される毎に、交換レンズのレンズＩＤを読み取る。そして、該レンズＩＤに対応した適正露出補正データを、カードスロット５０に挿入されたカード２（ここではＳＤカード）より読み出して、随時ＣＰＵ１１１内のＥＥＰＲＯＭに対して露出補正データ書込み部１１２により書き込んでいく。このように、新たな交換レンズが装着される毎に、その交換レンズに対応する適正露出補正データがＥＥＰＲＯＭに蓄積される。
【００４３】
次のステップＳ２２０では、測光および測距を行うためにスイッチＳＷ１がＯＮされたか否かを判定し、ＯＮされていなければこのステップに留まる。その後、スイッチＳＷ１がＯＮされるとステップＳ２２１へ進み、測光装置１０７を作動させて被写体の反射光を取り込み、Ａ／Ｄ変換して測光情報を得る。そして、上記露出補正データ書込み部１１２に書き込まれた交換レンズ２の適正露出補正データにより、適正な露出となるように露出条件（絞り、シャッタスピード）を演算する。続くステップＳ２２２では、焦点検出装置１０６により撮影モードがオートフォーカスモード（ＡＦ）であるかマニュアルフォーカスモード（ＭＦ）であるかを判別し、この判別結果に基づいて各焦点検出領域毎のフォーカス情報を算出する。そして、これらの焦点検出結果を基に既存のアルゴリズムでデフォーカス量算出演算を行い、所定領域の焦点検出結果に基づきレンズ駆動量を演算する。その後に、合焦するようにレンズ駆動装置１０３へレンズ駆動量を通信し、撮影レンズ１３内のフォーカスレンズを駆動して合焦させる。
【００４４】
次のステップＳ２２３では、撮影動作を開始するためにスイッチＳＷ２がＯＮされたか否かを判定し、ＯＮされていなければこのステップに留まる。その後、スイッチＳＷ２がＯＮされるとステップＳ２２４へ進み、被写体の撮像を行う。つまり、算出した露出条件（絞り、シャッタスピード）と駆動されたフォーカスレンズの合焦状態にて、撮像素子１６に露光を行う。この場合、ＣＰＵ１１１内のＥＥＰＲＯＭに書き込まれた適正露出補正データにより適正露出となるように撮像が行われる。次のステップＳ２２５では、撮像素子１６に撮像した適正露出の画像を画像表示モニター１７に静止画として自動再生表示する。続くステップＳ２２６では、撮像した画像データを、ここでは所定の形式（例えば、ＪＰＥＧ）に従って圧縮処理した後に、カード１（ここでは撮影した画像を記録するＣＦカード）にデータとして記録する。
【００４５】
なお、本実施例１では、２種類のカード１、カード２のうち、カード１であるＣＦカードは撮影した画像ファイルを記録するためのものであり、カード２であるＳＤカードは交換レンズ２の適正露出補正データを書き込んである構成で説明している。しかし、カード１に交換レンズの適正露出補正データを書き込んである構成、又はカード２に撮影した画像ファイルを記録する構成でも構わない。更には、２種類のカード１、カード２のうち、画像ファイルを記録しているカードに空容量がなくなった場合は、もう一方の交換レンズの適正露出補正データを書き込んであるカードの空容量部に撮影した画像ファイルを記録するような構成にしても構わない。
【００４６】
次のステップＳ２２７では、このまま撮影を続行するか否かを判定し、続行する場合はステップＳ２２０に戻り、撮影を中止する場合はステップＳ２２８へ進む。ステップＳ２２８では、現在装着されている交換レンズ２から、ユーザーの所有する別の交換レンズに変更して撮影が行われるかの判定を行う。この結果、別の交換レンズに変更して撮影が行われる場合はステップＳ２１４に戻り、上記と同様の動作を繰り返す。一方、撮影を終了する場合はステップＳ２２９にて、一連の動作を終了する。
【００４７】
上記実施例１によれば、ユーザーが所有する交換レンズ２がカメラ１に装着されると、その装着された交換レンズ２のＩＤ（識別情報）を読み取る。そして、ユーザーが所有する交換レンズ全てに対応した、個別の適正露出補正データを予め記憶している記録媒体であるカード２から、上記ＩＤに応じた固有の適正露出補正データを読み込む。そして、この固有の適正露出補正データを、カメラ１内のメモリであるＥＥＰＲＯＭに露出補正データ書込み部１１２により書き込むようにしている。よって、ユーザーが所有する交換レンズ全てについて、個別に設定されている適正露出補正データを基に適正な露出の撮影画像を得ることが可能となる。
【実施例２】
【００４８】
適正露出補正データが書き込んであるカード２に、それ以外の交換レンズデータ、例えば新しく発売された交換レンズ、又は他社レンズなどのように適正露出補正データが無い場合について、本発明の実施例２として、図７を用いて説明する。
【００４９】
本発明の実施例２では、図７に示すように、デジタルカメラとパソコンを接続して、適正露出補正データをダウンロードして取得するものである。
【００５０】
図７において、３０９は通信端末である例えばパーソナルコンピュータ（パソコン）であり、３１１はＣＦカード又はＳＤカード等の記録媒体を組み込み可能な、実施例１と同様な構成のデジタルカメラである。パソコン３０９とデジタルカメラ３１１は接続ケーブル（例えばＵＳＢケーブルなど）３１０により電気的に接続される。
【００５１】
次に、図８のフローチャートにしたがって、本実施例２における主要部分の動作について説明する。
【００５２】
ステップＳ３０１にて、適正露出補正データをダウンロードするための準備を開始し、まずステップＳ３０２にて、パソコン３０９とデジタルカメラ３１１の接続状態を判定し、接続されていなければこのステップに留まる。正常に接続されていればステップＳ３０３へ進み、ここではパソコン３０９を起動させ、インターネットサーバーに接続する。インターネットサーバーに正常に接続できるとステップＳ３０４へ進み、ここではユーザーが所有するカメラ３１１のカメラメーカー、または、他社カメラメーカーが提供しているサービスセンター等（サービスプロバイダ）にアクセスする。このアクセスが正常に行えるまでこのステップに留まる。
【００５３】
その後、正常にアクセスが行えるとステップＳ３０４からステップＳ３０５へ進み、ここではカメラメーカーが配信している情報（適正露出補正データ関連）からユーザーが指定する新しい交換レンズを選択できるまで、このステップに留まる。新しい交換レンズを選択できるとステップＳ３０６へ進み、ここではユーザーが指定した交換レンズの情報（適正露出補正データ）のダウンローを開始する。ここでのダウンロードされる情報（適正露出補正データ）は、交換レンズのレンズＩＤおよび適正露出補正データである。また、デジタルカメラ３１１側への書き込みとしては、カード２（交換レンズの適正露出補正データが書き込まれたＳＤカード）が挿入されている場合は、該ＳＤカードへ直接書き込みを開始する。また、ＳＤカードが挿入されていない場合は、直接デジタルカメラ３１１の露出補正データ書込み部１１２にダウンロードする。適正露出補正データのダウンロードが終了したら、接続しているサービスセンター等（サービスプロバイダ）のアクセスを解除する。そして、ステップＳ３０７にて、動作を終了する。
【００５４】
また、図８では不図示であるが、その他の交換レンズの適正露出補正データをダウンロードする場合は、ステップＳ３０６からステップＳ３０５に戻り、指定レンズを選択する。そして、その選択が終了すると、パソコン３０９とデジタルカメラの接続も解除する。他社カメラメーカーが提供しているサービスセンター等（サービスプロバイダ）に関しても同様である。
【００５５】
以降の動作は、上記実施例１と同様である。したがって、本実施例２においても、上記実施例１と同様の効果を得ることができる。
【図面の簡単な説明】
【００５６】
【図１】本発明の実施例１に係るデジタルカメラの構成を示す断面図である。
【図２】図１のデジタルカメラの上面に配置される部品の構成を示す図である。
【図３】図１のデジタルカメラの背面図である。
【図４】図１のデジタルカメラの回路構成を示すブロック図である。
【図５】図１のデジタルカメラに具備される測光センサの補正に関する説明図である。
【図６】図１のデジタルカメラの一連の動作を示すフローチャートである。
【図７】本発明の実施例２に係るデジタルカメラと該カメラに露出補正データをダウンロードするためのパソコンとの関係を示す構成図である。
【図８】図７のデジタルカメラへパソコンから露出補正データのダウンロードを行う際の動作を示すフローチャートである。
【図９】従来の交換レンズの露出補正についての説明図である。
【符号の説明】
【００５７】
１      カメラ
２      交換レンズ
８      焦点検出装置
１３    測光センサ
１６    撮像素子
４８    カードスロット
４９    カード取り外しボタン
５０    カードスロット
５１    カード取り外しボタン
１０２  交換レンズ検知スイッチ
１０７  測光装置
１０８  カードスロット検知スイッチ
１０９  カードスロット検知スイッチ
１１０  カードスロットカバー検知スイッチ
１１１  ＣＰＵ
１１２  露出補正データ書込み部
１１３  露出補正データ読込み部
１１４  交換レンズＩＤ判別部
【図１】
2008134312.tif 000003
【図２】
2008134312.tif 000004
【図３】
2008134312.tif 000005
【図４】
2008134312.tif 000006
【図５】
2008134312.tif 000007
【図６】
2008134312.tif 000008
【図７】
2008134312.tif 000009
【図８】
2008134312.tif 000010
【図９】
2008134312.tif 000011